(57)【特許請求の範囲】
【請求項１】
負荷から要求される電力の検知を行う電力検知手段と、
電力の生成が所定の電力生成手段において行われていないときに、前記検知された負荷から要求される電力が所定の値以上となっている時間を積算する時間積算手段と、
前記積算の結果、所定の期間において不連続的に前記積算された時間の総和が、所定の閾値以上となった場合に、電力の生成を前記電力生成手段に開始させるよう制御する電力生成制御手段と、を備えた、電力生成制御システム。
【請求項２】
負荷から要求される電力の検知を行う電力検知手段と、
電力の生成が所定の電力生成手段において行われているときに、前記検知された負荷から要求される電力が所定の値以下となっている時間を積算する時間積算手段と、
前記積算の結果、所定の期間において不連続的に前記積算された時間の総和が、所定の閾値以上となった場合に、電力の生成を前記電力生成手段に終了させるよう制御する電力生成制御手段と、を備えた、電力生成制御システム。
【請求項３】
負荷から要求される電力の検知を行う電力検知手段と、
電力の生成が所定の電力生成手段において行われていないときに、前記検知された負荷から要求される電力が所定の値以上となっている時間を積算する時間積算手段と、
前記積算の結果、所定の期間において不連続的に前記積算された時間の総和の前記所定の期間に対する比率が所定の閾値以上となった場合に、電力の生成を前記電力生成手段に開始させるよう制御する電力生成制御手段と、を備えた、電力生成制御システム。
【請求項４】
負荷から要求される電力の検知を行う電力検知手段と、
電力の生成が所定の電力生成手段において行われているときに、前記検知された負荷から要求される電力が所定の値以下となっている時間を積算する時間積算手段と、
前記積算の結果、所定の期間において不連続的に前記積算された時間の総和の前記所定の期間に対する比率が所定の閾値以上となった場合に、電力の生成を前記電力生成手段に終了させるよう制御する電力生成制御手段と、を備えた、電力生成制御システム。
【請求項５】
負荷から要求される電力の検知を行う電力検知手段と、
電力の生成が所定の電力生成手段において行われていないときに、所定の期間における前記負荷から要求される電力を積算する電力積算手段と、
前記積算の結果、前記積算された電力が所定の閾値以上となった場合に、電力の生成を前記電力生成手段に開始させるよう制御する電力生成制御手段と、を備えた、電力生成制御システム。
【請求項６】
負荷から要求される電力の検知を行う電力検知手段と、
電力の生成が所定の電力生成手段において行われているときに、所定の期間における前記負荷から要求される電力を積算する電力積算手段と、
前記積算の結果、前記積算された電力が所定の閾値以下となった場合に、電力の生成を前記電力生成手段に終了させるよう制御する電力生成制御手段と、を備えた、電力生成制御システム。
【請求項７】
負荷から要求される電力の検知を行う電力検知手段と、
電力の生成が所定の電力生成手段において行われていないときに、所定の期間における前記負荷から要求される電力を積算する電力積算手段と、
前記積算の結果、前記積算された電力の前記所定の期間における平均電力が所定の閾値以上となった場合に、電力の生成を前記電力生成手段に開始させるよう制御する電力生成制御手段と、を備えた、電力生成制御システム。
【請求項８】
負荷から要求される電力の検知を行う電力検知手段と、
電力の生成が所定の電力生成手段において行われているときに、所定の期間における前記負荷から要求される電力を積算する電力積算手段と、
前記積算の結果、前記積算された電力の前記所定の期間における平均電力が所定の閾値以下となった場合に、電力の生成を前記電力生成手段に終了させるよう制御する電力生成制御手段と、を備えた、電力生成制御システム。
【請求項９】
前記電力生成制御手段の前記制御により前記電力生成手段が起動した時刻を記憶する履歴蓄積手段と、
前記電力生成制御手段は、前記記憶される前記電力生成手段が起動した時刻に基づき算出された時刻に、前記電力生成手段に電力の生成を開始させるよう制御する、請求項１、３、５および７の何れかに記載の、電力生成制御システム。
【請求項１０】
前記電力生成制御手段の前記制御により前記電力生成手段が停止した時刻を記憶する履歴蓄積手段と、
前記電力生成制御手段は、前記記憶される前記電力生成手段が停止した時刻に基づき算出された時刻に、前記電力生成手段に電力の生成を終了させるよう制御する、請求項２、４、６および８の何れかに記載の、電力生成制御システム。
【請求項１１】
前記電力生成手段としての燃料電池本体と、請求項１から１０の何れかに記載の電力生成制御システムと、を備えた、燃料電池システム。
【発明の詳細な説明】
【０００１】
【発明の属する技術分野】
本発明は、たとえば燃料電池を用いて家庭などの電力負荷に電力を供給するための電力生成制御システムに関する。
【０００２】
【従来の技術】
はじめに、特開平５−１８２６７５などに開示されている従来の燃料電池発電システム（従来例１）の構成を、従来の燃料電池発電システム（従来例１）の構成図である図７を参照しながら説明する。
【０００３】
図７において、３１は燃料電池（本体）であって、蓄電池３２及びインバータを含む出力制御手段３３を介して負荷３４に接続されている。
【０００４】
つぎに、従来の燃料電池発電システム（従来例１）の動作を、従来の燃料電池発電システム（従来例１）の運転パターン例を説明するためのグラフ図である図８を参照しながら説明する。
【０００５】
図８において、横軸、縦軸はそれぞれ時刻、電力を表し、４１、４２はそれぞれ負荷電力、出力電力を示す。
【０００６】
負荷電力４１は、ｔ２からｔ３までは燃料電池本体３１の定格電力であるＷ８ｃとなっており、ｔ１からｔ２までは燃料電池本体３１の定格電力より小さいＷ８ｄとなっている。
【０００７】
一方、燃料電池３１（図７参照）は、出力制御手段３３によって、ｔ２からｔ３までは定格電力Ｗ８ｃで連続運転を行い、ｔ１からｔ２までは負荷電力４１と同じ電力量になるように定格電力Ｗ８ｃで間欠運転を行う。
【０００８】
よって、ｔ１からｔ２までの間の余剰電力および不足電力に対しては、蓄電池３２（図７参照）が充電および放電を行うものである。
【０００９】
燃料電池３１は一定の高温に維持しないと発電が継続できないため、起動時の発電前に燃料電池本体３１を加熱するための電力等のエネルギーが必要となる。また、停止時には経路内に残留する水素を冷却しながら安全に排出するという停止処理動作を行うため、同様に電力等のエネルギーが必要となる。
【００１０】
上述した従来の燃料電池発電システム（従来例１）では、間欠運転を行っているため、起動、停止を繰り返すたびにエネルギーを捨てていることになる。
【００１１】
さて、燃料電池発電システム（従来例２）は、前述した燃料電池発電システム（従来例１）と類似した構成を有しているが、従来の燃料電池発電システム（従来例２）の運転パターン例を説明するためのグラフ図である図９に示されているように、負荷電力に追従して出力電力を変化させることで前述のような無駄をある程度は回避することができる。
【００１２】
図９において、横軸、縦軸はそれぞれ時刻、電力を表し、４３、４４はそれぞれ負荷電力、出力電力を示す。また、負荷電力４３は、一般家庭の一日において、朝４３ｂ、昼４３ｃ、晩４３ｄに多く、深夜４３ｅ、早朝４３ａは少なくなっている。
【００１３】
燃料電池本体は、出力制御手段によって、最大出力電力Ｗ９ｃから最小出力電力Ｗ９ｄの間では負荷電力４３に追従するような出力電力４４に運転制御されている。また、燃料電池本体は、深夜４３ｅ、早朝４３ａなど負荷電力４３が最小出力電力Ｗ９ｄより小さいときには、余剰電力が多くなって蓄電池３２の充電量が増加する一方なので、運転を停止させられる。
【００１４】
このように従来の燃料電池発電システム（従来例２）では、概ね一日一回の起動、停止で済み、起動時および停止時に捨ててしまうエネルギーを前述した燃料電池発電システム（従来例１）よりは小さく抑えることができる。
【００１５】
【発明が解決しようとする課題】
しかしながら、従来の燃料電池発電システム（従来例２）には、従来の燃料電池発電システム（従来例２）の別の運転パターン例を説明するためのグラフ図である図１０に示すような運転が行われた場合にエネルギー捨ててしまうという課題があった。
【００１６】
より具体的に説明すると、従来の燃料電池発電システム（従来例２）は、たとえば深夜４５ｅ、早朝４５ａなど運転停止時に一時的な負荷電力４５の上昇４５ｂがあった場合には、起動を開始するがすぐまた停止処理動作を行う。また、従来の燃料電池発電システム（従来例２）は、昼間４５ｃなど運転中に一時的な負荷電力４５の低下４５ｄがあった場合には、停止処理動作を開始するがすぐまた起動を行う。
【００１７】
このような本来は不要な起動、停止動作のために、エネルギーを捨ててしまうことになるわけである。
【００１８】
本発明は、上記従来のこのような課題を考慮し、たとえば一時的な電力負荷の上昇や下降があった場合にも無駄なエネルギー消費を極めて小さく抑えることができる電力生成制御システム、およびプログラムを提供することを目的とするものである。
【００１９】
【課題を解決するための手段】
第一の本発明（請求項１に対応）は、負荷から要求される電力の検知を行う電力検知手段と、
電力の生成が所定の電力生成手段において行われていないときに、前記検知された負荷から要求される電力が所定の値以上となっている時間を積算する時間積算手段と、
前記積算の結果、所定の期間において不連続的に前記積算された時間の総和が、所定の閾値以上となった場合に、電力の生成を前記電力生成手段に開始させるよう制御する電力生成制御手段と、を備えた、電力生成制御システムである。
第二の本発明（請求項２に対応）は、負荷から要求される電力の検知を行う電力検知手段と、
電力の生成が所定の電力生成手段において行われているときに、前記検知された負荷から要求される電力が所定の値以下となっている時間を積算する時間積算手段と、
前記積算の結果、所定の期間において不連続的に前記積算された時間の総和が、所定の閾値以上となった場合に、電力の生成を前記電力生成手段に終了させるよう制御する電力生成制御手段と、を備えた、電力生成制御システムである。
第三の本発明（請求項３に対応）は、負荷から要求される電力の検知を行う電力検知手段と、
電力の生成が所定の電力生成手段において行われていないときに、前記検知された負荷から要求される電力が所定の値以上となっている時間を積算する時間積算手段と、
前記積算の結果、所定の期間において不連続的に前記積算された時間の総和の前記所定の期間に対する比率が所定の閾値以上となった場合に、電力の生成を前記電力生成手段に開始させるよう制御する電力生成制御手段と、を備えた、電力生成制御システムである。
第四の本発明（請求項４に対応）は、負荷から要求される電力の検知を行う電力検知手段と、
電力の生成が所定の電力生成手段において行われているときに、前記検知された負荷から要求される電力が所定の値以下となっている時間を積算する時間積算手段と、
前記積算の結果、所定の期間において不連続的に前記積算された時間の総和の前記所定の期間に対する比率が所定の閾値以上となった場合に、電力の生成を前記電力生成手段に終了させるよう制御する電力生成制御手段と、を備えた、電力生成制御システムである。
【００２４】
第五の本発明（請求項５に対応）は、負荷から要求される電力の検知を行う電力検知手段と、
電力の生成が所定の電力生成手段において行われていないときに、所定の期間における前記負荷から要求される電力を積算する電力積算手段と、
前記積算の結果、前記積算された電力が所定の閾値以上となった場合に、電力の生成を前記電力生成手段に開始させるよう制御する電力生成制御手段と、を備えた、電力生成制御システムである。
第六の本発明（請求項６に対応）は、負荷から要求される電力の検知を行う電力検知手段と、
電力の生成が所定の電力生成手段において行われているときに、所定の期間における前記負荷から要求される電力を積算する電力積算手段と、
前記積算の結果、前記積算された電力が所定の閾値以下となった場合に、電力の生成を前記電力生成手段に終了させるよう制御する電力生成制御手段と、を備えた、電力生成制御システムである。
第七の本発明（請求項７に対応）は、負荷から要求される電力の検知を行う電力検知手段と、
電力の生成が所定の電力生成手段において行われていないときに、所定の期間における前記負荷から要求される電力を積算する電力積算手段と、
前記積算の結果、前記積算された電力の前記所定の期間における平均電力が所定の閾値以上となった場合に、電力の生成を前記電力生成手段に開始させるよう制御する電力生成制御手段と、を備えた、電力生成制御システムである。
第八の本発明（請求項８に対応）は、負荷から要求される電力の検知を行う電力検知手段と、
電力の生成が所定の電力生成手段において行われているときに、所定の期間における前記負荷から要求される電力を積算する電力積算手段と、
前記積算の結果、前記積算された電力の前記所定の期間における平均電力が所定の閾値以下となった場合に、電力の生成を前記電力生成手段に終了させるよう制御する電力生成制御手段と、を備えた、電力生成制御システムである。
【００２７】
第九の本発明（請求項９に対応）は、前記電力生成制御手段の前記制御により前記電力生成手段が起動した時刻を記憶する履歴蓄積手段と、
前記電力生成制御手段は、前記記憶される前記電力生成手段が起動した時刻に基づき算出された時刻に、前記電力生成手段に電力の生成を開始させるよう制御する、第一、第三、第五および第七の何れかの本発明の、電力生成制御システムである。
第十の本発明（請求項１０に対応）は、前記電力生成制御手段の前記制御により前記電力生成手段が停止した時刻を記憶する履歴蓄積手段と、
前記電力生成制御手段は、前記記憶される前記電力生成手段が停止した時刻に基づき算出された時刻に、前記電力生成手段に電力の生成を終了させるよう制御する、第二、第四、第六および第八の何れかの本発明の、電力生成制御システムである。
第十一の本発明（請求項１１に対応）は、前記電力生成手段としての燃料電池本体と、第一から第十の何れかの本発明の電力生成制御システムと、を備えた、燃料電池システムである。
【００３５】
【発明の実施の形態】
以下では、本発明または本発明に関連する発明の実施の形態について、図面を参照しつつ説明を行う。
【００３６】
（実施の形態１）
はじめに、本実施の形態の燃料電池発電システムの構成図である図６を参照しながら、本実施の形態の燃料電池発電システムの構成について説明する。
【００３７】
図６において、燃料電池（本体）１、出力制御手段２、および負荷検知手段３はこの順で直列に接続されており、４は負荷検知手段３に接続された電力を消費する負荷であり、５は出力制御手段２と負荷検知手段３の接続部から分岐接続された蓄電池である。
【００３８】
なお、燃料電池１は本発明または本発明に関連する発明の電力生成手段を含む手段に対応し、負荷検知手段３は本発明または本発明に関連する発明の電力検知手段を含む手段に対応し、出力制御手段２は本発明または本発明に関連する発明の電力生成制御手段および時間積算手段を含む手段に対応する。また、本実施の形態の燃料電池発電システムは、本発明または本発明に関連する発明の電力生成制御システムを含む手段に対応する。
【００３９】
つぎに、本実施の形態の燃料電池発電システムの運転パターン例を説明するためのグラフ図である図１を参照しながら、本実施の形態の燃料電池発電システムの動作について説明する。なお、本実施の形態の燃料電池発電システムの動作について説明しながら、本発明に関連する発明の電力生成制御方法の一実施例についても説明する（以下同様である）。
【００４０】
出力制御手段２は、負荷検知手段３で検知された負荷４の電力に追従するように、システムの起動停止および燃料電池本体１の出力電力制御を行う（燃料電池本体１の出力電力が負荷４の電力に追従しきれない場合には、その余剰電力および不足電力は蓄電池５の充電および放電で緩衝されるものである）。
【００４１】
図１の運転パターン例は、一般家庭の一日の運転パターンのモデルを表していると考えてよく、横軸、縦軸はそれぞれ時刻、電力を表し、１１、１２はそれぞれ負荷電力、出力電力を示す。
【００４２】
負荷電力１１は、朝１１ｂ、昼１１ｃ、晩１１ｄには多く、深夜１１ｅ、早朝１１ａには少なくなっている。
【００４３】
一方、燃料電池本体１は、出力制御手段２によって、最大出力電力Ｗ１ｃから最小出力電力Ｗ１ｄの間で負荷電力１１に追従するような出力電力１２に運転制御されている。
【００４４】
そして、本実施の形態においては、たとえば負荷電力１１が早朝１１ａなどの少ない状態から朝１１ｂなどの多い状態に移行する時、一定値Ｗ１ａ以上の負荷電力が一定時間Ｔ１ａ以上継続した場合に、システム起動が行われる。また、負荷電力１１が晩１１ｄなどの多い状態から深夜１１ｅなどの少ない状態に移行する時、たとえば一定値Ｗ１ｂ以下の負荷電力が一定時間Ｔ１ｂ以上継続した場合に、システム停止が行われる。
【００４５】
このような、連続的に積算された時間が所定の閾値以上（以下）となったときに電力の生成を開始させる（終了させる）運転制御により、一時的な電力負荷の上昇や低下があった場合でも、不要に起動（停止）動作を行うことなく、概ね一日一回の起動（停止）で済むようになる。つまり、起動時および停止時のエネルギー浪費を極めて小さく抑えることができるものである。
【００４６】
（実施の形態２）
つぎに、本実施の形態の燃料電池発電システムの運転パターン例を説明するためのグラフ図である図２を参照しながら、本実施の形態の燃料電池発電システムの構成および動作について説明する。
【００４７】
本実施の形態の燃料電池発電システムの構成および動作は、前述した本実施の形態１の燃料電池発電システムの構成および動作と類似しており、図２において、横軸、縦軸はそれぞれ時刻、電力を表し、１３、１４はそれぞれ負荷電力、出力電力を示す。また、負荷電力１３は、朝１３ｂ、昼１３ｃ、晩１３ｄには多く、深夜１３ｅ、早朝１３ａには少なくなっている。
【００４８】
ただし、本実施の形態においては、燃料電池本体は、出力制御手段によって、最大出力電力Ｗ２ｃから最小出力電力Ｗ２ｄの間で負荷電力１３に追従するような出力電力１４に運転制御されている。
【００４９】
そして、負荷電力１３が早朝１３ａなどの少ない状態から朝１３ｂなどの多い状態に移行する時、一定時間Ｔ２ａ内に一定値Ｗ２ａ以上の負荷電力が一定比率Ｒ２ａ以上発生した場合に、システム起動が行われる。また、負荷電力１３が晩１３ｄなどの多い状態から深夜１３ｅなどの少ない状態に移行する時、一定時間Ｔ２ｂ内に一定値Ｗ２ｂ以下の負荷電力が一定比率Ｒ２ｂ以上発生した場合に、システム停止が行われる。
【００５０】
たとえば、Ｒ２ａ＝７０％とした場合、起動時は一定時間Ｔ２ａ内に一定値Ｗ２ａ以上の負荷電力が７０％以上発生した時にシステム起動が行われるため、１３ｆのように起動判別時間（Ｔ２ａ）内に負荷電力１３が一瞬Ｗ２ａ以下になってもこれを無視する（これにはあまり影響されない）。また、Ｒ２ｂ＝７０％とした場合、停止時は一定時間Ｔ２ｂ内に一定値Ｗ２ｂ以下の負荷電力が７０％以上発生した時にシステム停止が行われるため、１３ｇのように停止判別時間（Ｔ２ｂ）内に負荷電力１３が一瞬Ｗ２ｂ以上になってもこれを無視する。
【００５１】
このような、所定の期間における、（１）連続的に積算された時間、または（２）不連続的に積算された時間の総和が所定の閾値以上（以下）となったときに電力の生成を開始させる（終了させる）運転制御により、不要に起動（停止）動作を行うことなく、概ね一日一回の起動（停止）で済むようになる。つまり、起動時および停止時のエネルギー浪費を極めて小さく抑えることができる（もちろん、本発明の時間積算手段（本実施の形態における出力制御手段に含まれる手段に対応する）の出力自体は、所定の期間における時間の総和となっていてもよいし、総和をとる前の個々の時間であってもよい）。
【００５２】
さらに、前述した本実施の形態１の場合に比べて、起動、停止の遅れを少なくし、起動遅れによる電力不足や停止遅れによる電力余剰を少なくすることによって、蓄電池の蓄電容量を少なくすることができるため、システムのコストを安価にすることができるものである。
【００５３】
（実施の形態３）
つぎに、本実施の形態の燃料電池発電システムの運転パターン例を説明するためのグラフ図である図３を参照しながら、本実施の形態の燃料電池発電システムの構成および動作について説明する。
【００５４】
本実施の形態の燃料電池発電システムの構成および動作は、前述した本実施の形態１の燃料電池発電システムの構成および動作と類似しており（なお、本実施の形態の出力制御手段は本発明の電力生成制御手段および電力積算手段を含む手段に対応する）、図３において、横軸、縦軸はそれぞれ時刻、電力を表し、１５、１６はそれぞれ負荷電力、出力電力を示す。また、負荷電力１５は、朝１５ｂ、昼１５ｃ、晩１５ｄには多く、深夜１５ｅ、早朝１５ａには少なくなっている。
【００５５】
ただし、本実施の形態においては、燃料電池本体は、出力制御手段によって、最大出力電力Ｗ３ｃから最小出力電力Ｗ３ｄの間で負荷電力１５に追従するような出力電力１６に運転制御されている。
【００５６】
そして、負荷電力１５が早朝１５ａなどの少ない状態から朝１５ｂなどの多い状態に移行するとき、一定時間Ｔ３ａ内の負荷電力積算量を時間で除した平均負荷電力が一定値Ｗ３ａ以上になった場合に、システム起動が行われる。また、負荷電力１５が晩１５ｄなどの多い状態から深夜１５ｅなどの少ない状態に移行するとき、一定時間Ｔ３ｂ内の負荷電力積算量を時間で除した平均負荷電力が一定値Ｗ３ｂ以下になった場合に、システム停止が行われる。
【００５７】
よって、１５ｆのように起動判別時間（Ｔ３ａ）内に一瞬負荷電力１５が小さくなっても、これを無視する。また、１５ｇのように停止判別時間（Ｔ３ｂ）内に一瞬負荷電力１５が大きくなってもこれを無視する。
【００５８】
このような、積算された電力が所定の閾値以上（以下）となったときに電力の生成を開始させる（終了させる）運転制御により、不要に起動（停止）動作を行うことなく、概ね一日一回の起動（停止）で済むようになる。つまり、起動時および停止時のエネルギー浪費を極めて小さく抑えることができる。
【００５９】
さらに、前述した本実施の形態１の場合に比べて、起動、停止の遅れを少なくし、起動遅れによる電力不足や停止遅れによる電力余剰を少なくすることによって、蓄電池の蓄電容量を少なくすることができるため、システムのコストを安価にすることができるものである。
【００６０】
（実施の形態４）
つぎに、本実施の形態の燃料電池発電システムの運転パターン例を説明するためのグラフ図である図４を参照しながら、本実施の形態の燃料電池発電システムの構成および動作について説明する。
【００６１】
本実施の形態の燃料電池発電システムの構成および動作は、前述した本実施の形態の燃料電池発電システムの構成および動作と類似しており（なお、本実施の形態の出力制御手段は本発明の電力生成制御手段および履歴蓄積手段を含む手段に対応する）、図４において、横軸、縦軸は、それぞれ時刻、電力を表す。
【００６２】
ただし、本実施の形態の出力制御手段は、起動すべきであった時刻を考慮して毎日の起動最適時刻Ｂを算出し、記憶された起動最適時刻Ｂの内の所定日数分が一定時間Ｔ４ａの範囲内に入った場合に、それら起動最適時刻Ｂの平均時刻Ｂ０を算出してシステム起動を行わせる（なお、１７、１８はそれぞれ数日分を重ねた負荷電力、数日分を重ねた出力電力を示す）。
【００６３】
このような、電力の生成を行うための所定のルール（たとえば前述した従来例におけるルールでもよい）に優先させて、蓄積された履歴に基づき電力の生成を開始させる運転制御により、前述した本実施の形態１〜３の場合に比べて、起動の遅れをさらに少なくし、蓄電池の蓄電容量をさらに少なくすることができ得るものである。
【００６４】
（実施の形態５）
つぎに、本実施の形態の燃料電池発電システムの停止パターン例を説明するためのグラフ図である図５を参照しながら、本実施の形態の燃料電池発電システムの構成および動作について説明する。
【００６５】
本実施の形態の燃料電池発電システムの構成および動作は、前述した本実施の形態の燃料電池発電システムの構成および動作と類似しており、図５において、横軸、縦軸は、それぞれ時刻、電力を表す。
【００６６】
ただし、本実施の形態の出力制御手段は、停止すべきであった時刻を考慮して毎日の停止最適時刻Ｄを算出し、記憶された停止最適時刻Ｄの内の所定日数分が一定時間Ｔ５ｂの範囲内に入った場合に、それら停止最適時刻Ｄの平均時刻Ｄ０を算出してシステム停止を行わせる（なお、１９、２０はそれぞれ数日分を重ねた負荷電力、数日分を重ねた出力電力を示す）。
【００６７】
このような、電力の生成を行うための所定のルールに優先させて、蓄積された履歴に基づき電力の生成を終了させる運転制御により、前述した本実施の形態１〜３の場合に比べて、停止の遅れをさらに少なくし、蓄電池の蓄電容量をさらに少なくすることができ得るものである。
【００６８】
以上においては、本実施の形態１〜５について詳細に説明した。
【００６９】
なお、本発明に関連する発明は、上述した本発明または本発明に関連する発明の電力生成制御システムの全部または一部の手段（または、装置、素子、回路、部など）の機能をコンピュータにより実行させるためのプログラムであって、コンピュータと協働して動作するプログラムである。もちろん、上述のコンピュータは、ＣＰＵなどの純然たるハードウェアに限らず、ファームウェアやＯＳ、さらに周辺機器を含むものであっても良い。
【００７０】
また、本発明に関連する発明は、上述した本発明に関連する発明の電力生成制御方法の全部または一部のステップ（または、工程、動作、作用など）の動作をコンピュータにより実行させるためのプログラムであって、コンピュータと協働して動作するプログラムである。
【００７１】
なお、上述の一部の手段（または、装置、素子、回路、部など）、上述の一部のステップ（または、工程、動作、作用など）は、それらの複数の手段またはステップの内の幾つかの手段またはステップを意味する、あるいは一つの手段またはステップの内の一部の機能または一部の動作を意味するものである。
【００７２】
また、上述の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【００７３】
また、本発明に関連する発明のプログラムを記録した、コンピュータに読みとり可能な記録媒体も本発明に関連する発明である。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【００７４】
なお、本発明または本発明に関連する発明の構成は、ソフトウェア的に実現しても良いし、ハードウェア的に実現しても良い。
【００７５】
このように、本発明に関連する発明は、たとえば、燃料電池本体と、負荷検知手段で検知された負荷電力に追従するようにシステムの起動停止および前記燃料電池本体の出力電力制御を行う出力制御手段とを備え、一定値Ｗ１ａ以上の負荷電力が一定時間Ｔ１ａ以上継続した場合にシステムを起動させ、一定値Ｗ１ｂ以下の負荷電力が一定時間Ｔ１ｂ以上継続した場合にシステムを停止させる燃料電池発電システムである。
【００７６】
また、本発明は、たとえば、燃料電池本体と、負荷検知手段で検知された負荷電力に追従するようにシステムの起動停止および前記燃料電池本体の出力電力制御を行う出力制御手段とを備え、一定時間Ｔ２ａ内に一定値Ｗ２ａ以上の負荷電力が一定比率Ｒ２ａ以上発生した場合にシステムを起動させ、一定時間Ｔ２ｂ内に一定値Ｗ２ｂ以下の負荷電力が一定比率Ｒ２ｂ以上発生した場合にシステムを停止させる燃料電池発電システムである。
【００７７】
また、本発明は、たとえば、燃料電池本体と、負荷検知手段で検知された負荷電力に追従するようにシステムの起動停止および前記燃料電池本体の出力電力制御を行う出力制御手段とを備え、一定時間Ｔ３ａ内の負荷電力積算量を時間で除した平均負荷電力が一定値Ｗ３ａ以上になった時にシステムを起動させ、一定時間Ｔ３ｂ内の負荷電力積算量を時間で除した平均負荷電力が一定値Ｗ３ｂ以下になった時にシステムを停止させる燃料電池発電システムである。
【００７８】
また、本発明は、たとえば、毎日の起動時刻から起動最適時刻を設定し、毎日記憶された前記起動最適時刻の差異が一定時間Ｔ４ａの範囲内になった時に前記起動最適時刻の平均時刻をもってシステムを起動させることを特徴とする上述の燃料電池発電システムである。
【００７９】
また、本発明は、たとえば、毎日の停止時刻から停止最適時刻を設定し、毎日記憶された前記停止最適時刻の差異が一定時間Ｔ５ｂの範囲内になった時に前記停止最適時刻の平均時刻をもってシステムを停止させることを特徴とする上述の燃料電池発電システムである。
【００８０】
かくして、本発明または本発明に関連する発明は、一時的な電力負荷の上昇や低下があった場合でも、不要に起動、停止動作を行うことなく、概ね一日一回の起動、停止で済み、起動時および停止時の無駄なエネルギーを最小限に抑えることができる、という効果を奏するものである。
【００８１】
また、起動、停止の遅れを少なくし、起動遅れによる電力不足や停止遅れによる電力余剰を少なくすることによって、蓄電池の蓄電容量を少なくすることができ、その結果システムのコストを安価にできる、という効果も奏するものである。
【００８２】
【発明の効果】
以上述べたところから明らかなように、本発明は、たとえば一時的な電力負荷の上昇や下降があった場合にも燃料電池発電における無駄なエネルギー消費を極めて小さく抑えることができるという長所を有する。
【図面の簡単な説明】
【図１】  本発明に関連する発明の実施の形態１における燃料電池発電システムの運転パターン例を説明するためのグラフ図
【図２】  本発明の実施の形態２における燃料電池発電システムの運転パターン例を説明するためのグラフ図
【図３】  本発明の実施の形態３における燃料電池発電システムの運転パターン例を説明するためのグラフ図
【図４】  本発明の実施の形態４における燃料電池発電システムの運転パターン例を説明するためのグラフ図
【図５】  本発明の実施の形態５における燃料電池発電システムの停止パターン例を説明するためのグラフ図
【図６】  本発明に関連する発明の実施の形態１における燃料電池発電システムの構成図
【図７】  従来の燃料電池発電システム（従来例１）の構成図
【図８】  従来の燃料電池発電システム（従来例１）の運転パターン例を説明するためのグラフ図
【図９】  従来の燃料電池発電システム（従来例２）の運転パターン例を説明するためのグラフ図
【図１０】  従来の燃料電池発電システム（従来例２）の別の運転パターン例を説明するためのグラフ図
【符号の説明】
１  燃料電池本体
２  出力制御手段
３  負荷検知手段
１１  負荷電力
１２  出力電力
１３  負荷電力
１４  出力電力
１５  負荷電力
１６  出力電力
【図１】
0004934248.tif 000002
【図２】
0004934248.tif 000003
【図３】
0004934248.tif 000004
【図４】
0004934248.tif 000005
【図５】
0004934248.tif 000006
【図６】
0004934248.tif 000007
【図７】
0004934248.tif 000008
【図８】
0004934248.tif 000009
【図９】
0004934248.tif 000010
【図１０】
0004934248.tif 000011